(57)【要約】【課題】原稿カバーを重量化することなく大容量の原稿を受け入れ可能であり，単純な原稿搬送経路で両面読み取り可能な画像読み取り装置および画像複写装置を提供すること。【解決手段】本発明の画像複写装置１は，挿入口１１から排出口１２まで原稿を途中方向変換なく導く原稿搬送路１３の途中に原稿読取部２０が設けられ，上下方向に移動可能な少なくとも３つの可動トレイ５１〜５３を有している。さらに，例えば，可動トレイ５１に載置された原稿について，可動トレイ５１を原稿供給位置に移動させ，可動トレイ５２を原稿受け取り位置に移動させ，その状態でその原稿の第１面の読み取りを原稿読取部２０に行わせ，次いで，可動トレイ５２を原稿供給位置に移動させ，可動トレイ５３を原稿受け取り位置に移動させ，その状態でその原稿の第２面の読み取りを原稿読取部２０に行わせる。【選択図】            図１
2006115281.tif 000002
【特許請求の範囲】
【請求項１】
読み取り前の原稿を引き込む原稿引き込み口と，前記原稿引き込み口の上方または下方に位置し，読み取り後の原稿を排出する原稿排出口と，前記原稿引き込み口から前記原稿排出口まで原稿を途中方向転換なく導く原稿搬送経路と，前記原稿搬送経路の途中に設けられた画像読み取り部とを有し，前記原稿引き込み口から引き込んだ原稿の画像データを取得する画像読み取り装置において，
前記原稿引き込み口への原稿供給位置と，前記原稿排出口からの原稿受け取り位置とを包含する範囲にわたって上下方向に移動可能な少なくとも３つのトレイと，
前記少なくとも３つのトレイのうち，原稿受け取り位置から原稿供給位置を見る向き（以下，「前向き」という）の先頭から３番目以降のいずれかのものに載置された原稿について，
その原稿が載置されたトレイ（以下，「出発トレイ」という）を原稿供給位置に移動させ，出発トレイより原稿受け取り位置側であって前向きの先頭でないトレイのいずれか１つ（以下，「中間トレイ」という）を原稿受け取り位置に移動させ，その状態でその原稿の第１面の読み取りを前記画像読み取り部に行わせ，次いで，
中間トレイを原稿供給位置に移動させ，中間トレイより原稿受け取り位置側のトレイのいずれか１つ（以下，「終着トレイ」という）を原稿受け取り位置に移動させ，その状態でその原稿の第２面の読み取りを前記画像読み取り部に行わせる両面読み取り制御部とを有することを特徴とする画像読み取り装置。
【請求項２】
請求項１に記載の画像読み取り装置において，
各トレイにそれぞれ設けられた原稿センサと，
前記両面読み取り制御部による処理を開始する前に，前向きの先頭から３番目以降のいずれかのトレイに原稿が載置されていることを確認し，確認が取れた場合にのみ前記両面読み取り制御部による処理を行わせる開始判断部とを有することを特徴とする画像読み取り装置。
【請求項３】
請求項１に記載の画像読み取り装置において，
各トレイにそれぞれ設けられた原稿センサと，
前記両面読み取り制御部による処理を開始する前に，中間トレイとなるべきトレイに何も載置されていないことを確認し，確認が取れた場合にのみ前記両面読み取り制御部による処理を行わせる開始判断部とを有することを特徴とする画像読み取り装置。
【請求項４】
請求項１に記載の画像読み取り装置において，
前記少なくとも３つのトレイは，
前記原稿引き込み口および前記原稿排出口の側が低い傾斜配置とされており，
前記原稿引き込み口および前記原稿排出口の側への載置物の落下を防ぐストッパをそれぞれ有しており，
原稿供給位置のトレイのストッパを退避させる退避部材を有することを特徴とする画像読み取り装置。
【請求項５】
読み取り前の原稿を引き込む原稿引き込み口と，前記原稿引き込み口の上方または下方に位置し，読み取り後の原稿を排出する原稿排出口と，前記原稿引き込み口から前記原稿排出口まで原稿を途中方向転換なく導く原稿搬送経路と，前記原稿搬送経路の途中に設けられた画像読み取り部とを有し，前記原稿引き込み口から引き込んだ原稿の画像を媒体に複写する画像複写装置において，
前記原稿引き込み口への原稿供給位置と，前記原稿排出口からの原稿受け取り位置とを包含する範囲にわたって上下方向に移動可能な少なくとも３つのトレイと，
前記少なくとも３つのトレイのうち，原稿受け取り位置から原稿供給位置を見る向き（以下，「前向き」という）の先頭から３番目以降のいずれかのものに載置された原稿について，
その原稿が載置されたトレイ（以下，「出発トレイ」という）を原稿供給位置に移動させ，出発トレイより原稿受け取り位置側であって前向きの先頭でないトレイのいずれか１つ（以下，「中間トレイ」という）を原稿受け取り位置に移動させ，その状態でその原稿の第１面の読み取りを前記画像読み取り部に行わせ，次いで，
中間トレイを原稿供給位置に移動させ，中間トレイより原稿受け取り位置側のトレイのいずれか１つを原稿受け取り位置に移動させ，その状態でその原稿の第２面の読み取りを前記画像読み取り部に行わせる両面読み取り制御部とを有することを特徴とする画像複写装置。
【発明の詳細な説明】
【技術分野】
【０００１】
本発明は，原稿の画像を読み取る画像読み取り装置およびその読み取った画像データに基づいて複写画像を形成する画像複写装置に関する。さらに詳細には，両面読み取りの可能な画像読み取り装置および画像複写装置に関するものである。
【背景技術】
【０００２】
従来より，両面複写の可能な画像複写装置等では，原稿の両面を読み取るための画像読み取り装置が使用されている（例えば，特許文献１参照。）。一般的な両面読み取り可能な画像入力装置の概略構成を図８に示す。画像入力装置１００は，原稿給紙部１０１と原稿排紙部１０２とを有している。そして，原稿給紙部に置かれた束原稿から１枚ずつ引き込み，以下のように原稿ガラス１０３上に搬送して，その両面の画像データを読み取る。
【０００３】
原稿は，原稿給紙部１０１から図８中の矢印Ａに沿って引き込まれ，矢印Ｂを経て，矢印Ｃ位置でまず片面が読み取られる。用紙終端まで読み取りが終了すると，原稿は一旦停止され，逆に矢印Ｄ方向へ搬送される。さらに，矢印Ｅと矢印Ｆを経て反転される。そして，矢印Ｃの時と同じ経路を，裏面を向けて搬送される。これが，矢印Ｇであり，ここで裏面が読み取られる。さらに，矢印Ｈを経て原稿排紙部１０２に排紙される。
【０００４】
また，原稿搬送路の表裏両側にそれぞれ原稿読み取り装置を備える画像入力装置も考案された。このようにすれば，原稿を反転させるための複雑な経路は不要となる。しかし，この方法では，ＣＣＤ等の画像読み取り部材が２個必要となるためコストアップはさけられない。これに対し，原稿を単純な往復経路で往復搬送する画像読み取り装置が提案されている（例えば，特許文献１参照。）。この画像読み取り装置によれば，往路と復路とで，イメージセンサを１８０度回転移動させる。これにより，低コストで両面原稿を読み取ることができるとされている。
【特許文献１】特開平５−２４７３６号公報
【特許文献２】特開平５−３０３０５号公報
【発明の開示】
【発明が解決しようとする課題】
【０００５】
しかしながら，前記した特許文献１や図８に記載の画像読み取り装置を画像形成装置等に付属して設ける場合には，一般に本体の上部の原稿カバーに設けられることとなる。そのため，原稿カバーが大型化および重量化しがちであった。このことは，置き取りやジャム処理等のために原稿カバーを持ち上げる場合に，ユーザに負担を強いることとなっていた。さらに，このユーザの負担という点から，給排紙トレイの大型化には限界があった。そのため，大容量の原稿を受け付けることができないという問題点があった。
【０００６】
さらに，これらの画像読み取り装置では，原稿搬送経路が長い。さらには，原稿はスイッチバック経路で上下反転されている。一般に原稿シートは，画像形成用紙に比較して，搬送の信頼性を確保することが難しい。これは，原稿では用紙の種類が幅広いことによる。例えば，用紙端部の折れや用紙全体のたわみなどが発生していることが多い。さらには，インクの有無等によって，紙面上の摩擦係数の分布も一定でないことも多い。万一，搬送経路中でジャム等が発生した場合には，大切な原稿を損なうおそれがある。このため，原稿搬送経路を短く単純なものとしたいという要望があった。
【０００７】
また，前記した特許文献２に記載の画像読み取り装置では，イメージセンサを反転するための機構が必要である。そのため，読み取り装置の構成が複雑であり，精密な読み取りが難しいという問題点があった。
【０００８】
本発明は，前記した従来の画像読み取り装置が有する問題点を解決するためになされたものである。すなわちその課題とするところは，原稿カバーを重量化することなく大容量の原稿を受け入れ可能であり，単純な原稿搬送経路で両面読み取り可能な画像読み取り装置および画像複写装置を提供することにある。
【課題を解決するための手段】
【０００９】
この課題の解決を目的としてなされた本発明の画像読み取り装置は，読み取り前の原稿を引き込む原稿引き込み口と，原稿引き込み口の上方または下方に位置し，読み取り後の原稿を排出する原稿排出口と，原稿引き込み口から原稿排出口まで原稿を途中方向転換なく導く原稿搬送経路と，原稿搬送経路の途中に設けられた画像読み取り部とを有し，原稿引き込み口から引き込んだ原稿の画像データを取得する画像読み取り装置であって，原稿引き込み口への原稿供給位置と，原稿排出口からの原稿受け取り位置とを包含する範囲にわたって上下方向に移動可能な少なくとも３つのトレイと，少なくとも３つのトレイのうち，原稿受け取り位置から原稿供給位置を見る向き（以下，「前向き」という）の先頭から３番目以降のいずれかのものに載置された原稿について，その原稿が載置されたトレイ（以下，「出発トレイ」という）を原稿供給位置に移動させ，出発トレイより原稿受け取り位置側であって前向きの先頭でないトレイのいずれか１つ（以下，「中間トレイ」という）を原稿受け取り位置に移動させ，その状態でその原稿の第１面の読み取りを画像読み取り部に行わせ，次いで，中間トレイを原稿供給位置に移動させ，中間トレイより原稿受け取り位置側のトレイのいずれか１つ（以下，「終着トレイ」という）を原稿受け取り位置に移動させ，その状態でその原稿の第２面の読み取りを画像読み取り部に行わせる両面読み取り制御部とを有するものである。
【００１０】
本発明の画像読み取り装置によれば，原稿は原稿引き込み口から原稿排出口へと搬送される。また，原稿引き込み口と原稿排出口とは，上下に配置される。これらの間には画像読み取り部があればよく，原稿の搬送経路は長くはされていない。また，スイッチバック経路は設けられていない。従って，単純な原稿搬送経路となっている。さらに，各トレイは原稿カバー上ではないので，原稿カバーを重量化することなくトレイを大型化することができる。また，前向きの先頭から３番目以降のトレイに原稿が載置されていれば，そのトレイより原稿受け取り位置側に少なくとも２つのトレイがある。それらを中間トレイと終着トレイとして利用できる。これらのトレイが原稿供給位置と原稿受け取り位置とを包含する範囲にわたって上下方向に移動可能なので，出発トレイから中間トレイへ，あるいは中間トレイから終着トレイへの原稿の搬送が可能である。さらに，この搬送によって原稿の用紙が裏返されれば，それぞれの搬送時に原稿の異なる面が読み取られる。これにより，原稿カバーを重量化することなく大容量の原稿を受け入れ可能であり，単純な原稿搬送経路で両面読み取り可能な画像読み取り装置となっている。
【００１１】
さらに本発明では，各トレイにそれぞれ設けられた原稿センサと，両面読み取り制御部による処理を開始する前に，前向きの先頭から３番目以降のいずれかのトレイに原稿が載置されていることを確認し，確認が取れた場合にのみ両面読み取り制御部による処理を行わせる開始判断部とを有することが望ましい。
このようにすれば，原稿が載置されたトレイは，前向きの先頭から３番目以降のトレイであるので，その後ろ側（原稿受け取り位置側）に少なくとも２つのトレイがあることが確認されている。従って，読み取り処理を開始した後にトレイが足りなくなるおそれがない。
【００１２】
さらに本発明では，各トレイにそれぞれ設けられた原稿センサと，両面読み取り制御部による処理を開始する前に，中間トレイとなるべきトレイに何も載置されていないことを確認し，確認が取れた場合にのみ両面読み取り制御部による処理を行わせる開始判断部とを有することが望ましい。
このようにすれば，第１面が読み取られた後に原稿が一旦載置される中間トレイに，何も載置されていないことが確認されている。従って，第２面の読み取り時に別の用紙等が混入するおそれはない。
【００１３】
さらに本発明では，少なくとも３つのトレイは，原稿引き込み口および原稿排出口の側が低い傾斜配置とされており，原稿引き込み口および原稿排出口の側への載置物の落下を防ぐストッパをそれぞれ有しており，原稿供給位置のトレイのストッパを退避させる退避部材を有することが望ましい。
このようにすれば，各トレイに載置された原稿等は，自重によって，原稿引き込み口や原稿排出口の側へ移動する。このとき，ストッパによって落下が防止されているので，トレイの移動中等に原稿がトレイから落下するおそれはない。一方，原稿供給位置においては，退避部材によってストッパが退避される。従って，原稿は自重によって原稿引き込み口へ供給される。
【００１４】
また，本発明は，読み取り前の原稿を引き込む原稿引き込み口と，原稿引き込み口の上方または下方に位置し，読み取り後の原稿を排出する原稿排出口と，原稿引き込み口から原稿排出口まで原稿を途中方向転換なく導く原稿搬送経路と，原稿搬送経路の途中に設けられた画像読み取り部とを有し，原稿引き込み口から引き込んだ原稿の画像を媒体に複写する画像複写装置であって，原稿引き込み口への原稿供給位置と，原稿排出口からの原稿受け取り位置とを包含する範囲にわたって上下方向に移動可能な少なくとも３つのトレイと，少なくとも３つのトレイのうち，原稿受け取り位置から原稿供給位置を見る向き（以下，「前向き」という）の先頭から３番目以降のいずれかのものに載置された原稿について，その原稿が載置されたトレイ（以下，「出発トレイ」という）を原稿供給位置に移動させ，出発トレイより原稿受け取り位置側であって前向きの先頭でないトレイのいずれか１つ（以下，「中間トレイ」という）を原稿受け取り位置に移動させ，その状態でその原稿の第１面の読み取りを画像読み取り部に行わせ，次いで，中間トレイを原稿供給位置に移動させ，中間トレイより原稿受け取り位置側のトレイのいずれか１つを原稿受け取り位置に移動させ，その状態でその原稿の第２面の読み取りを画像読み取り部に行わせる両面読み取り制御部とを有する画像複写装置にも及ぶ。
【発明の効果】
【００１５】
本発明の画像読み取り装置および画像複写装置によれば，原稿カバーを重量化することなく大容量の原稿を受け入れ可能であり，単純な原稿搬送経路で両面読み取り可能となっている。
【発明を実施するための最良の形態】
【００１６】
以下，本発明を具体化した最良の形態について，添付図面を参照しつつ詳細に説明する。本形態は，両面原稿を読み込み可能な画像入力装置を備えた画像複写装置に本発明を適用したものである。
【００１７】
本形態の画像複写装置１は，図１にその概略を示すように，上から順に，原稿搬送部１０，原稿読取部２０，画像形成部３０，用紙供給部４０の各部を有している。原稿搬送部１０は，図中上方の挿入口１１から図中下方の排出口１２へと原稿搬送路１３を通して原稿を１枚ずつ搬送する。原稿搬送路１３は，途中でＵの字型に曲げられており，その曲部の下流側で原稿読取部２０の読取位置２１に対面している。これにより，原稿を搬送しながら読み取る，いわゆる流し撮りを行うようになっている。この画像複写装置１では，この他に原稿カバー１４と原稿ガラス１５とを有し，原稿ガラス１５上の平置きの原稿を読み取る置き撮りもできるようになっている。ここでは，挿入口１１が原稿引き込み口に，排出口１２が原稿排出口にそれぞれ相当する。また，原稿搬送路１３が原稿搬送経路に相当する。
【００１８】
原稿読取部２０は，照明装置２２，複数のミラー２３，イメージセンサ２４を有している。これにより，読取位置２１を通過する原稿の画像を読み取り，画像データとして取得する。画像形成部３０は，原稿読取部２０で取得した画像データを基に，用紙に画像を形成する。ここでは，帯電部３１，露光部３２，現像部３３，転写部３４，定着部３５を有して，電子写真方式の画像形成を行うものを例示している。画像が形成された用紙は，用紙排出口３６から画像複写装置１の外部に排出される。さらに，画像複写装置１全体の制御を司るコントローラ３７も有している。用紙供給部４０は，各種の用紙を格納できる用紙カセット４１を有している。そして，画像形成部３０の画像形成動作に同期して選択的に用紙を供給する。
【００１９】
この画像複写装置１では，図１に示すように，原稿搬送部１０の挿入口１１と排出口１２，及び画像形成部３０の用紙排出口３６は，いずれも同じ側面に配置されている。そして，その側面側の外部には，４つの可動トレイ５１，５２，５３，５４が配置されている。ここでは，各可動トレイ５１，５２，５３は，その全体が同時に，あるいはそれぞれ単独で，画像複写装置１の外側面に沿って上下に移動できる。移動可能な距離は，少なくとも，可動トレイ５２が挿入口１１に対向して可動トレイ５１がその図中上方に配置される位置から，可動トレイ５２が排出口１２に対向して可動トレイ５３がその図中下方に配置される位置までである。可動トレイ５４は，必ずしも移動するものでなくても良い。
【００２０】
また，各トレイの移動のための構成としては，例えば従来よりフィニッシャに用いられているものと同様の構成を利用できる。また，可動トレイ５１，５２，５３，５４は，画像複写装置１の側面へ向かって低くなるように配置されている。このため，紙等の載置物は図中右下方向へ重力によって移動される。
【００２１】
また，可動トレイ５１，５２，５３，５４には，それぞれストッパ５５，５６，５７，５８が設けられている。ストッパ５５，５６，５７，５８は，図２に示すように，ほぼ水平に配置される基部とその両端部から図中上方へ突出した柵部とを有している。基部は，バネ等によって図中上方へ付勢されている。そのため自然状態では，図１に示すように，例えばストッパ５５の柵部は可動トレイ５１の上面より上方へ突出した状態となっている。従ってこの状態では，可動トレイ５１に載せられた用紙は，ストッパ５５に当接して停止される。これにより，トレイ上面に保持される。他のトレイについても同様である。
【００２２】
一方，原稿搬送部１０の挿入口１１の近傍にはストッパ解除部６０が設けられている。ストッパ解除部６０は，図２に示すように，ソレノイド６１とレバー６２とを有している。さらに，レバー６２の凸部が画像複写装置１に設けられた溝６３に係合されている。可動トレイ５２が挿入口１１に配置された場合には，図１に示すように，ストッパ５６はストッパ解除部６０によって引き下ろされて解除されることになる。
【００２３】
すなわち，その場合には，ソレノイド６１によってレバー６２を引き下げる。これにより，レバー６２の凸部が溝６３によって誘導される。従って，レバー６２の先端部が図中奥方向へと傾く。さらに，レバー６２の先端部がストッパ５６の基部に係合する。その結果，ストッパ５６が図中下方へ引き下げられる。従って，用紙の引き込みが可能な状態となる。このストッパ解除部６０が退避部材に相当する。
【００２４】
また，可動トレイ５１，５２，５３，５４の上面には，用紙センサ５９が設けられている。用紙センサ５９は，例えば図３に示すような，ツメ機構であっても良い。このトレイ上に用紙が置かれると，このツメが押し下げられる。従って，その下部に設けられた検知装置により検知可能である。この用紙センサ５９は，１枚の用紙に対しても反応する。また，ツメ機構以外にも，光学的センサ，電気的遮断センサ，あるいは静電容量や抵抗値の変化によるセンサで構成することもできる。この用紙センサ５９が原稿センサに相当する。あるいは，可動トレイ５１，５２，５３，５４に用紙センサ５９を設ける代わりに，押しボタン等によって，ユーザに原稿を置いたことを指示してもらうようにしても良い。
【００２５】
次に，この画像複写装置１の両面原稿読み取り動作を説明する。この画像複写装置１では，排出口１２は挿入口１１より下方に設けられている。従って，可動トレイ５１〜５３を下側に配置されているものから上側に配置されているものへと数える向きが「前向き」に相当する。前向きの先頭のトレイは可動トレイ５４である。ここで，図１に示すように，可動トレイ５４を用紙排出口３６に配置させる場合には，これを除いた可動トレイのうち前向きの先頭から３番目以降の可動トレイに原稿を載置することが望ましい。ここでは，可動トレイ５１がこれに相当し，「出発トレイ」として機能する。そこで，両面原稿の場合，ユーザは可動トレイ５１上に原稿の束を載置する。
【００２６】
ここで，３番目以降としたのは，原稿を載置されたトレイより排出口１２側に少なくとも２つの空きトレイが必要となるからである。そのため，画像複写装置１は，両面複写処理を開始する前に，原稿が載置されたトレイ（可動トレイ５１）より図中下方にこの原稿の読み取りに利用できる２つの空きトレイがあることを確認する。ここでは，可動トレイ５２，５３がこれに相当する。すなわち，可動トレイ５２が「中間トレイ」として機能し，可動トレイ５３が「終着トレイ」として機能する。
【００２７】
可動トレイ５２，５３が空であることが確認されたら，画像複写装置１は，原稿の読み取り処理を開始する。あるいは，少なくとも可動トレイ５２は空でなくてはならない。可動トレイ５２に用紙があると，片面の読み取り後排出されたこの原稿と混載されてしまうからである。原稿の読み取り処理が開始されると，画像複写装置１は，可動トレイ５１を挿入口１１に，可動トレイ５２を排出口１２にそれぞれ対向させる。さらに，可動トレイ５１のストッパ５５を退避させる。これにより，可動トレイ５１上の原稿を挿入口１１から引き込むことが可能となる。
【００２８】
この状態で，図４に示すように，原稿の表面（第１面）の読み取りを行う。原稿を挿入口１１から１まいずつ引き込み，読取位置２１でその画像を読み取る。読み取った画像データは，コントローラ３７の記憶部に一旦記憶する。読み取りの終わった原稿は，排出口１２から可動トレイ５２に排出する。可動トレイ５２のストッパ５６は退避されていないので，原稿は可動トレイ５２上に保持される。このとき，原稿搬送路１３が図のようにＵ字型にされているので，可動トレイ５１に置かれたときに上側であった面の画像が読み取られる。そして，可動トレイ５２上には裏向きに，すなわち読み取られた面を下側にして載置される。また，原稿の１枚目が束の一番下に載置される。
【００２９】
原稿の表面を全て読み取り終わると，可動トレイ５１が空になる。このことは，可動トレイ５１の用紙センサ５９によって判断できる。そこで次に，裏面の読み取りの準備を行う。そのために，図５に示すように，可動トレイ５１，５２，５３を移動させる。すなわち，可動トレイ５２を挿入口１１に，可動トレイ５３を排出口１２に移動させる。また，可動トレイ５１は，可動トレイ５２の上部に移動させる。そして，可動トレイ５２のストッパ５６を退避させる。他の可動トレイ５１，５３のストッパ５５，５７は退避させない。
【００３０】
この状態で，原稿の裏面（第２面）の読み取りを行う。すなわち，可動トレイ５２から１枚ずつ引き込み，読取位置２１でその画像を読み取って，可動トレイ５３へ排出する。読み取った画像データは，コントローラ３７の記憶部に一旦記憶する。これにより，前に読み取った表面の画像データと併せて両面の画像データとすることができる。なお，この裏面の読み取り時には，原稿束の積み重ね順は，表面の時とは逆になっている。すなわち，原稿の最後の１枚が最初に読み取られることになる。従って，画像複写装置１では，すべての画像を読み取り終わった後に，表裏両面の画像を組み合わせて画像形成を開始する。画像複写装置１では，このようにして読み取った両面の画像データを基に，画像形成部３０によって両面複写済媒体を形成する。
【００３１】
次に，この画像複写装置１による原稿読み取り処理について，図６と図７に示すフローチャートを利用して説明する。ここでは，原稿読み取りに関する部分のみを説明する。この処理は，コントローラ３７によって実行される。この処理が開始されるとまず，ユーザによって両面原稿複写の指示入力があったかどうか，を判断する（Ｓ１０１）。両面原稿の場合は（Ｓ１０１：Ｙｅｓ），Ｓ１０２に進む。この場合，コントローラ３７は，両面読み取り制御部として機能する。
【００３２】
次に，可動トレイ５１の用紙センサ５９により，可動トレイ５１に原稿が載置されているかどうかを判断する（Ｓ１０２）。原稿が載置されていない場合は（Ｓ１０２：Ｎｏ），操作パネル等に原稿の載置を促す表示を行う（Ｓ１０３）。原稿が載置されている場合には（Ｓ１０２：Ｙｅｓ），次に可動トレイ５２に用紙があるかどうかを判断する（Ｓ１０４）。用紙がある場合は（Ｓ１０４：Ｙｅｓ），その用紙を除去するよう促す表示をする（Ｓ１０５）。用紙がなければ（Ｓ１０４：Ｎｏ），Ｓ１０６に進む。このとき，コントローラ３７は，開始判断部として機能している。
【００３３】
次に，原稿の置かれている可動トレイ５１を原稿給紙用のトレイと設定する。そして，空の可動トレイ５２を原稿排紙用トレイと設定する。このように設定して，図７の片面原稿読取処理を行う（Ｓ１０７）。この処理は，原稿束の片面の画像をすべて読み取る処理である。この処理内容については，後述する。この処理によって，原稿の表側の画像がすべて読み取られる。
【００３４】
片面原稿読取処理が終了すると，可動トレイ５２に裏向きの原稿がすべて載置された状態となっている。そこで，次に可動トレイ５２を原稿給紙用トレイ，可動トレイ５３を原稿排紙用トレイに設定する（Ｓ１０８）。そして再び，図７の片面原稿読取処理を行う（Ｓ１０９）。この処理によって，原稿の裏側の画像がすべて読み取られる。これで，原稿両面の読み取りが終了したのでこの処理を終了する。
【００３５】
また，はじめに両面原稿の指示がされていない場合は（Ｓ１０１：Ｎｏ），片面原稿として読み取ればよい。そこで，まず，可動トレイ５１，５２のいずれかに原稿が載置されているかどうかを判断する（Ｓ１１０）。原稿が載置されていない場合は（Ｓ１１０：Ｎｏ），原稿を載置するよう促す（Ｓ１１１）。
【００３６】
原稿が載置されたら（Ｓ１１０：Ｙｅｓ），そのトレイを原稿給紙トレイとして設定する（Ｓ１１２）。また，そのトレイより下方にあって，空のトレイを，原稿排紙トレイとして設定する（Ｓ１１３）。このように設定して，図７の片面原稿読取処理を行う（Ｓ１１４）。この処理によって，原稿の片面がすべて読み取られる。これで，片面原稿の読み取りは終了であり，図６の処理の説明を終了する。
【００３７】
次に，図７に示した片面原稿読取処理を説明する。まず，原稿給紙トレイに設定されているトレイを挿入口１１へ移動する。また，原稿排紙トレイに設定されているトレイを排出口１２へ移動する（Ｓ２０１）。さらに，原稿給紙トレイのストッパを退避させる（Ｓ２０２）。これにより，原稿給紙用トレイに載置された原稿は，自重によってその先端部が挿入口１１に入り込む。原稿給紙トレイ以外のトレイのストッパは，退避させない。
【００３８】
そして，原稿搬送部１０によって原稿を１枚ずつ読取位置２１へ搬送する（Ｓ２０３）。さらに，原稿読取部２０によって原稿の画像を読み取る（Ｓ２０４）。読み取りの終わった原稿は，原稿排紙トレイに１枚ずつ排紙する（Ｓ２０５）。例えば，図４に示すように，原稿を可動トレイ５１から１枚ずつ搬送して読み取り，可動トレイ５２へと排紙する。
【００３９】
さらに，まだ原稿給紙トレイに原稿があるかどうかを判断する（Ｓ２０６）。まだ原稿があれば（Ｓ２０６：Ｙｅｓ），さらに読み取りを続ける（Ｓ２０３〜Ｓ２０５）。そして，原稿給紙トレイに載置された全ての原稿を読み取ったら（Ｓ２０６：Ｎｏ），原稿給紙トレイのストッパを元に戻す（Ｓ２０７）。これで，図７の片面原稿読取処理が終了する。以上で，図６と図７の処理の説明を全て終了する。
【００４０】
以上詳細に説明したように本形態の画像複写装置１は，４つの可動トレイ５１，５２，５３，５４を有している。従って，可動トレイ５１に置かれた原稿の両面を読み取ることができる。そのために，まず，可動トレイ５１を挿入口１１，可動トレイ５２を排出口１２に対向させる。そして，原稿の表面を読み取って可動トレイ５２に排出する。このとき，原稿は裏向きに排出される。そこで，次に，可動トレイ５１，５２，５３を移動させ，可動トレイ５２の原稿を読み取って可動トレイ５３に排出する。これにより，裏面が読み取られる。原稿搬送路１３自体は単純な経路である。本形態では，これらの可動トレイ５１，５２，５３の配置は，原稿カバー１４の上ではない。従って，ユーザにとって，置き取りのために原稿カバー１４を持ち上げることは容易である。また，ユーザの負担を増すことなく，各トレイを大型化できるので，大容量の原稿を読み取り可能なものとできる。これにより，原稿カバー１４を重量化することなく大容量の原稿を受け入れ可能であり，単純な原稿搬送路１３で両面読み取り可能な画像複写装置１となっている。
【００４１】
なお，本形態は単なる例示にすぎず，本発明を何ら限定するものではない。したがって本発明は当然に，その要旨を逸脱しない範囲内で種々の改良，変形が可能である。
例えば，上記の形態では，原稿の表面をすべて読み取った後，トレイを移動させて原稿の裏面を読み取っている。これに代えて，１枚ごとにトレイを上下させて，１枚ごとに原稿の両面を読み取っても良い。
また例えば，上記の形態の画像複写装置１では，下側の可動トレイ５４は常時排紙専用となる。従って，可動トレイ５４は，移動しないものであっても良い。その場合には，退避可能なストッパ５８に代えて，常時突出したものとしても良い。
また例えば，図１では画像形成部３０として各装置を１組備えたものを示しているが，異なる色のトナーを有する複数組の装置を備えたカラー画像複写装置に本発明を適用することもできる。
【図面の簡単な説明】
【００４２】
【図１】本形態の画像複写装置を示す概略構成図である。
【図２】ストッパを示す説明図である。
【図３】用紙センサを示す説明図である。
【図４】画像複写装置の動作を示す説明図である。
【図５】画像複写装置の動作を示す説明図である。
【図６】画像複写装置の複写処理を示すフローチャートである。
【図７】画像複写装置の複写処理を示すフローチャートである。
【図８】従来の画像複写装置を示す説明図である。
【符号の説明】
【００４３】
１  画像複写装置
１１  挿入口（原稿引き込み口）
１２  排出口（原稿排出口）
１３  原稿搬送路（原稿搬送経路）
２０  原稿読取部（画像読み取り部）
３７  コントローラ（両面読み取り制御部，開始判断部）
５１，５２，５３，５４  可動トレイ（トレイ）
５５，５６，５７，５８  ストッパ
５９  用紙センサ（原稿センサ）
６０  ストッパ解除部（退避部材）
【図１】
2006115281.tif 000003
【図２】
2006115281.tif 000004
【図３】
2006115281.tif 000005
【図４】
2006115281.tif 000006
【図５】
2006115281.tif 000007
【図６】
2006115281.tif 000008
【図７】
2006115281.tif 000009
【図８】
2006115281.tif 000010